(57)【要約】【課題】ガスコンロにおいて、天板上における五徳の誤設置を視覚的に確実に防止出来るようにすること。【解決手段】天板(3)上に設置される複数の五徳(1a)(1b)は、五徳枠(10)と、五徳枠(10)の外周縁よりも外方に向かって放射状に突設する複数の五徳爪(11)(12)を有し、五徳(1a)(1b)が位置決め状態に設置された状態にて、五徳(1a)の少なくとも一つの五徳爪(11)と、隣接する他の五徳(1b)の五徳爪(12)の一つとが、平面視にて同一線上に位置すると共に、その各々の外側端縁(11a)(12a)は隙間(14)を介して近接するように設定されていること。【選択図】図２
2018179396.tif 000002
【特許請求の範囲】
【請求項１】
天板上に複数の五徳が位置決め状態に設置されるガスコンロにおいて、
前記五徳は、五徳枠と、前記五徳枠の外周縁よりも外方に向かって放射状に突設される複数の五徳爪とを有し、
五徳の設置状態にて、各五徳における少なくとも一つの五徳爪と、隣接する他の五徳の五徳爪の一つとが、平面視にて同一線上に位置すると共に、その各々の外側端縁相互は隙間を介して近接するように設定されていることを特徴とするガスコンロ。
【請求項２】
請求項１に記載のガスコンロにおいて、前記五徳爪は、横長略矩形状の直立板とし、前記五徳の設置状態にて、各五徳における少なくとも一つの五徳爪の面と、隣接する他の五徳の一つの五徳爪の面とが、面一となるように設定されているガスコンロ。
【請求項３】
請求項１又は請求項２に記載のガスコンロにおいて、隣接する五徳にて、一方の五徳の五徳爪の外側端縁は、下端が上端よりも半径方向外側に突出している上向きの傾斜辺によって形成され、これに近接する他方の五徳の五徳爪の外側端縁は、上端が下端よりも半径方向外側に突出している下向きの傾斜辺によって形成されているガスコンロ。
【請求項４】
請求項１から３のいずれかに記載のガスコンロにおいて、相互に近接する五徳爪は異なる磁性を有するガスコンロ。
【請求項５】
請求項１から４のいずれかに記載のガスコンロにおいて、前記天板には複数のバーナ用開口が開設されていると共にその周縁に環状のバーナリングが設置され、
前記五徳枠は、前記バーナリングの表面全域を覆う幅広帯状の環状体としたガスコンロ。
【発明の詳細な説明】
【技術分野】
【０００１】
本発明は、ガスコンロ、特に、天板に設けられた複数のバーナ用開口の周縁にそれぞれバーナリングと五徳が配設される形式のガスコンロに関する。
【背景技術】
【０００２】
従来のガスコンロでは、ケース本体内に収容されるガスバーナの数だけ天板にバーナ用開口が設けられており、例えば、三口コンロの場合では、一般に、天板の手前側に二つ、中央奥側に一つ設けられている。そして、その各々の周縁には、環状のバーナリングが設けられ、さらに、バーナリングの周囲には、五徳がバーナリングに対して位置決め状態に設置される。
【０００３】
五徳は、バーナリングの外周縁に沿って設置される五徳枠と、五徳枠に一体的に取り付けられている複数の五徳爪とからなり、バーナリングと五徳枠との位置決め手段として、例えば、五徳枠の内周縁から内方に向かって突出させる凸部を、バーナリングの外周縁に形成される凹部に嵌合させる形式のものがある。この種の位置決め手段の場合、凸部が凹部に嵌まるように、五徳枠をバーナリングの外周縁に沿って載置させれば、五徳はバーナリングに対して不用意に回転したりずれたりすることなく、安定した位置決め状態で設置される。
【先行技術文献】
【特許文献】
【０００４】
【特許文献１】特開２０１５−１０２２６８号公報
【特許文献２】特開２００８−２７８３号公報
【発明の概要】
【発明が解決しようとする課題】
【０００５】
しかしながら、五徳枠に設けた凸部をバーナリングの外周縁に設けた凹部に嵌める作業は目で確認し難く、凹部の上方に凸部が位置するように、おおよその見当をつけて五徳をバーナリングの周囲に載置する。このとき、凸部が凹部に完全に嵌まり込まず、ズレた状態で載置させてしまっても、五徳が少し浮き上がる程度であるため、視覚的には五徳の誤設置に気付き難い。
【０００６】
五徳をバーナリングに対して誤設置したまま使用すると、五徳爪に載置させた鍋ががたついて危険である上に、そのまま使用し続けると、鍋底に対して最適な加熱を提供できない上に、五徳が劣化し易いといった問題が生じる。
【０００７】
本発明は、上記問題に鑑みてなされたものであり、天板上に、複数の五徳が正確に設置されているかどうかを視覚的に容易に確認出来るようにして、五徳の誤設置を確実に防止出来るガスコンロを提供することを課題とする。
【課題を解決するための手段】
【０００８】
本発明は、天板上に複数の五徳が位置決め状態に設置されるガスコンロにおいて、
前記五徳は、五徳枠と、前記五徳枠の外周縁よりも外方に向かって放射状に突設される複数の五徳爪とを有し、
五徳の設置状態にて、各五徳における少なくとも一つの五徳爪と、隣接する他の五徳の五徳爪の一つとが、平面視にて同一線上に位置すると共に、その各々の外側端縁相互は隙間を介して近接するように設定されていることを特徴とする。
【０００９】
上記手段は次のように作用する。
天板上に複数の五徳が所定の位置決め状態に設置された状態にて、一つの五徳の五徳枠の外周縁よりも外方に突出している五徳爪のうち、少なくとも一つの五徳爪が、隣接する他の五徳の五徳爪の一つと平面視にて同一線上に位置すると共に、これらの外側端縁は、隙間を介して近接するように設定されている。言い換えれば、五徳爪が同一線上に位置しなかったり、五徳爪の外側端縁相互が近接しなかったり、逆に、外側端縁間に隙間が形成されなかったりした場合、少なくとも一つの五徳が誤設置状態にあるということがわかる。このように、五徳が所定の位置決め状態に設置されたかどうかを視覚的に容易に判断することが出来るので、五徳の設置作業を迅速に且つ正確に行うことが出来ると共に、誤設置状態でのガスコンロの使用を確実に防止することが出来る。
また、一つの五徳の五徳爪に、大きな鍋を載置したとき、隣接する他の五徳の五徳爪のうち、相互に近接する少なくとも一つの五徳爪にも鍋底を同時に載置させることが出来るから、調理中における鍋の安定性が向上する。
【００１０】
前記ガスコンロにおいて、望ましくは、前記五徳爪は、横長略矩形状の直立板とし、前記五徳の設置状態にて、各五徳における少なくとも一つの五徳爪の面と、隣接する他の五徳の一つの五徳爪の面とが、面一となるように設定されている。
五徳が所定の位置決め状態にセットされた状態では、近接する五徳爪が平面視にて同一線上に位置すると同時に、各五徳爪を構成している直立板の面相互が面一になるように設定されているから、五徳が所定の位置決め状態に正しくセットされているかどうかが、より一層視覚的にわかり易いものとなる。また、五徳爪を板状にすることによって、五徳爪の強度が増し、鍋を載置したときの安定性が向上すると共に洗浄し易くなる。さらに、五徳爪の熱容量が大きくなるから、温度上昇が抑えられ、五徳爪の部分的な変色を抑えることが出来る。
【００１１】
前記ガスコンロにおいて、望ましくは、隣接する五徳にて、一方の五徳の五徳爪の外側端縁は、下端が上端よりも半径方向外側に突出している上向きの傾斜辺によって形成され、これに近接する他方の五徳の五徳爪の外側端縁は、上端が下端よりも半径方向外側に突出している下向きの傾斜辺によって形成されている。
隣接する五徳としては、逆向きの傾斜辺で形成された外側端縁を有する五徳爪を備えたものをそれぞれ採用することが好ましく、複数の五徳の設置場所及び設置の順番は、五徳爪の外側端縁の傾斜の向きで決定される。また、上向きの傾斜辺を有する五徳爪を有する五徳では、五徳爪の外側端縁の下端が上端よりも半径方向外側に突出しているから、天板に載置した時の五徳の安定性が向上する。そこで、例えば、天板上の手前側に二つ、奥側に一つの五徳を載置させる三口のガスコンロの場合、比較的よく使う手前側の二つに、外側端縁が上向きの傾斜辺からなる五徳爪を有する五徳を載置しておくと、良好な使い勝手を得ることが出来る。この場合、奥側の五徳には、下向きの傾斜辺からなる外側端縁を有する五徳爪を備えた五徳が設置される。
【００１２】
前記ガスコンロにおいて、望ましくは、相互に近接する五徳爪は異なる磁性を有することである。
相互に近接する２つの五徳爪の一方の外側端縁にＳ極の磁性を、他方の外側端縁にＮ極の磁性を有する構成としておくことにより、２つの五徳爪の外側端縁が近づくと、相互に引き合うこととなり、これら２つの五徳爪を同一線上に位置させ易くなる。このように、五徳爪に具備させる磁性を、２つの五徳爪を同一線上に位置させる際のガイドとして機能させることにより、五徳はバーナリングに対して、より一層、確実に且つ容易に位置決めし易いものとなり、誤設置防止が促進される。
【００１３】
前記ガスコンロにおいて、望ましくは、前記天板には複数のバーナ用開口が開設されていると共にその周縁に環状のバーナリングが設置され、
前記五徳枠は、前記バーナリングの表面全域を覆う幅広帯状の環状体としたことである。
天板には、ガスバーナの数に応じて複数のバーナ用開口とその周縁に環状のバーナリングが設けられており、各バーナリングに対して五徳が設置される。バーナリングを設けることで、バーナ用開口からケース本体内への煮こぼれの浸入に対するシール性が向上する。また、五徳は、バーナリングの表面全域を五徳枠で覆うように設置されるから、バーナリングの上面に煮こぼれ等の汚れが付着して汚れることがなく、五徳を洗浄するだけで、汚れを落とすことが出来るから、天板の清掃性が向上する。
【発明の効果】
【００１４】
本発明によれば、五徳が天板上にて所定の位置決め状態に設置されたかどうかは、隣接する五徳の五徳爪相互が同一線上に位置しているか、及び、その外側端縁が僅かな隙間を介して近接しているかを視覚的に確認することで容易に判断できるから、五徳の設置作業を迅速に且つ正確に行うことが出来る。また、五徳の誤設置を確実に防止することにより、誤設置状態の五徳に鍋を載置することによる不安定な状態でのガスコンロの使用を回避することが出来る。
また、一つの五徳に大きな鍋を載置したとき、隣接する五徳の五徳爪の一つにも、鍋底がかかるように載置することが出来るから、調理時における鍋の安定性を向上させることが出来る。
【図面の簡単な説明】
【００１５】
【図１】本発明の実施の形態のガスコンロを示す一部分解斜視図である。
【図２】本発明の実施の形態のガスコンロに採用した天板に五徳を設置した状態を示す平面図である。
【図３】本発明の実施の形態のガスコンロに採用した天板に五徳を設置した状態を示す前上方からの斜視図である。
【発明を実施するための形態】
【００１６】
以下に、本発明を実施するための形態について添付図面を参照しながら説明する。
本発明実施の形態のガスコンロは、システムキッチンのカウンタートップの開口に落とし込み状態で設置されるビルトイン式のガスコンロであって、上方開放の矩形箱体であるケース本体(31)内に３つのガスバーナが、電磁弁、点火装置等の出力装置等と共に収容されており、その上方開放部は、図１に示すような天板(3)によって閉塞されている。
図１は、天板(3)の上面を示す斜視図であり、天板(3)には、前記ガスバーナに対応するように、手前側に２つ、奥側中央に１つ、合計３つのバーナ用開口（図示せず）が開設されていると共に、各バーナ用開口の周縁に、それぞれバーナリング(2)が一体的に設けられている。
【００１７】
図１の手前両側は、バーナリングの上に五徳(1a)(1a)が設置された組み付け完了状態を示しており、奥側中央のものは、五徳(1b)がバーナリング(2)から離反された状態を示しいる。
なお、図面では、環状のバーナリング(2)の中央から、ガスバーナのバーナヘッド(20)と、鍋底温度センサ(22)が突出した状態を示している。
【００１８】
五徳(1a)(1b)は、バーナリング(2)の表面の全域を被覆可能な所定幅を有する帯状の環状体である五徳枠(10)と、その外周縁に等間隔に位置するように外方に向かって放射状に突設された６枚の横長略矩形状の直立板からなる五徳爪(11)又は(12)とを具備する構成となっている。
天板(3)に載置させる３つの五徳(1a)(1a)(1b)のうち、手前両側に設置される五徳(1a)(1a)の五徳爪(11)の外周端縁(11a)は、全て、下端を上端よりも半径方向外側に突出させた上向きの傾斜辺から構成されており、奥側中央の五徳(1b)の五徳爪(12)の外周端縁(12a)は、全て、上端が下端よりも半径方向外側に突出する下向きの傾斜辺から構成されている。
また、各五徳爪(11)(12)において、五徳枠(10)の中心に対して対称な位置にある２つの五徳爪(110)(120)は他の４枚よりも、外方への突出長さが短く設定されている。
【００１９】
天板(3)の手前側２つの五徳(1a)(1a)と奥側１つの五徳(1b)とは、上記したように、五徳爪(11)(12)の外側端縁(11a)(12a)の傾斜の向きが相違するから、手前側の２つの五徳(1a)(1a)を載置した後に、奥側の五徳(1b)を載置すると、３つの五徳(1a)(1a)(1b)をスムーズにセット出来る。
具体的には、天板(3)の手前側に位置する２つのバーナリングの表面に、外側端縁(11a)が上向き傾斜辺からなる五徳爪(11)を有する五徳(1a)の五徳枠(10)をそれぞれ載置する。このとき、突出長さの短い２つの五徳爪(110)が天板(3)の前後方向に位置するようにセットする。その後、奥側中央のバーナリング(2)に、外側端縁(12a)が下向き傾斜辺からなる五徳爪(12)を有する五徳(1b)の五徳枠(10)を載置する。これも、突出長さの短い２枚の五徳爪(120)が天板(3)の前後方向に位置するようにセットする。
【００２０】
３つの五徳(1a)(1a)(1b)を、各バーナリング(2)に対して正しい姿勢でセットすると、図２に示すように、手前側の２つの五徳(1a)(1a)の五徳爪(11)のうち、奥側中央の五徳(1b)に向かってそれぞれ延びる１つの五徳爪(11)と、奥側の五徳(1b)の五徳爪(12)のうち、手前側の両五徳爪(1a)(1a)に向かって延びる２つの五徳爪(12)とが、平面視にて同一線上に位置すると共に、これら同一線上に位置する五徳爪(11)(12)を構成している直立板の面相互が同一面上に位置するように設定されている。そして、この状態にて、五徳爪(11)の外側端縁(11a)と五徳爪(12)の外側端縁(12a)との間には、図３に示すように、斜めの隙間(14)が形成される。なお、この隙間(14)の幅は５ｍｍ以下に設定しておくことが望ましい。
【００２１】
上記したように、五徳(1a)(1b)にて所定の五徳爪(11)(12)が、平面視にて同一線上に位置すると共に同一側面を構成し、外側端縁(11a)(12a)相互間に、所定幅の隙間(14)が斜めに形成された状態が、バーナリング(2)に対する各五徳(1a)(1b)の正しい設置姿勢であり、これらの五徳(1a)(1b)がセットされた天板(3)においては、図２又は図３に示すように、天板(3)の上面全体におけるデザイン性が向上し、意匠的にも優れたガスコンロを提供することが出来る。
【００２２】
逆に言えば、近接し合う２つの五徳爪(11)(12)が平面視にて同一線上に位置せず且つ直立板の面相互が同一面を構成せず、または、外側端縁(11a)(12a)相互間に、上記したような斜めの隙間(14)が形成されない場合は、五徳(1a)(1b)の少なくとも一つがバーナリング(2)に対して誤設置されていることがわかる。この場合、五徳(1a)(1b)のいずれか又は両方の五徳枠(10)をバーナリング(2)に対して再度位置合わせして、正しい載置状態となるように調整すればよい。
このように、五徳(1a)(1b)がバーナリング(2)に対してズレることなく正確に位置決め状態に設置されたかどうかを、視覚的に容易に確認することが出来るので、五徳(1a)(1b)が誤設置されたままコンロが使用される不都合を確実に防止することが出来る。
【００２３】
また、五徳(1a)(1b)を正しく設置した状態にて、平面視にて同一線上に位置する五徳爪(11)(12)は、外側端縁(11a)(12a)相互間が５ｍｍ以下の隙間(14)を介して近接する構成であるから、例えば、手前側の一つの五徳(1a)の五徳爪(11)に大きな鍋を載置したとき、奥側の五徳(1b)の五徳爪(12)の一つにも同時に鍋底が載置される態様となり、特に、調理中に鍋を振り動かした時等における鍋の安定性が向上する。
【００２４】
この実施の形態では、五徳枠(10)は、バーナリング(2)の表面全体を覆う幅広の環状体に構成されているから、バーナリング(2)上に煮こぼれ等の汚れが付着することがなく、五徳(1a)(1b)の洗浄だけで天板(3)上を清潔に保つことが出来る。また、バーナリング(2)と天板(3)との間に溜まった汚れ等を五徳枠(10)で隠蔽することが出来る。
【００２５】
五徳(1a)(1b)とバーナリング(2)との位置決め手段として、図示しないが、例えば、従来のものと同様に、五徳枠(10)の裏面に凸部を、バーナリング(2)の所定個所に前記凸部が嵌合可能な凹部を設ける構成としたものでは、上記幅広形状の五徳枠(10)では、直接目で確認しながら凸部を凹部に嵌合させることは難しいが、五徳(1a)(1b)の五徳爪(11)(12)を、外側端縁(11a)(12a)間に所定の隙間(14)を介して同一線上に位置させれば、必然的に五徳枠(10)の裏面の凸部をバーナリング(2)の凹部に対応させることが出来る。このように、位置決め手段を視覚的に確認し難い場合でも、五徳枠(10)をバーナリング(2)上に、正しく位置決めした状態に設置することが出来る。
なお、位置決め手段としては、上記したような凸部と凹部に限定されるものではなく、五徳枠(10)とバーナリング(2)のどちらか一方に係合部が、他方に被係合部が設けられていれば良い。
【００２６】
さらに、この実施の形態では、各五徳爪(11)(12)の外側端縁(11a)(12a)近傍における裏面に、図３に示すように、耐熱性ゴムからなる当接部(15)を設けている。バーナリング(2)に対して五徳枠(10)を正しく位置決めした状態で設置すると、五徳枠(10)はバーナリング(2)に対して位置決め手段により位置決め状態に設置された状態となると同時に、天板(3)に当接部(15)が当接することとなり、ゴムの摩擦抵抗により、五徳(1a)(1b)は、バーナリング(2)に対して回り止めに保持されることとなる。
【００２７】
また、五徳枠(10)を幅広環状体に、五徳爪(11)(12)を板状に形成していることにより、五徳(1a)(1b)は洗浄し易くなり、天板(3)上の清掃性が向上する。さらに、略コ字状の五徳爪に比べて熱容量が大きくなるから、五徳爪(11)(12)の温度変化は小さくなり、加熱による部分的な変色を抑えることが出来る。
さらに、比較的よく使用する天板(3)の手前側に位置させる２つの五徳(1a)の五徳爪(11)の外側端縁(11a)を、下端が上端よりも外方に突出する上向きの傾斜辺としたものを採用したから、五徳(1a)の安定性が向上し、調理時に鍋やフライパンを振り動かす際に使い勝手が良いものとなる。
【００２８】
なお、五徳(1a)(1b)の各々の五徳爪(11)(12)の外側端縁(11a)(12a)を近接させ易いように、外側端縁(11a)には磁石のＮ極(N)が位置し、外側端縁(12a)には磁石のＳ極(S)が位置するように、五徳爪(11)(12)を磁性体から構成しても良い(図３参照)。この場合、五徳(1a)(1b)をそれぞれおおよその姿勢でバーナリング(2)に設置すると、近接し合う五徳爪(11)(12)の外側端縁(11a)(12a)のＮ極(N)とＳ極(S)が相互に引き合い、五徳爪(11)(12)を強制的に同一線上に位置させることが出来る。このように、五徳爪(11)(12)の外側端縁(11a)(12a)に持たせた磁性が、五徳爪(11)(12)を同一線上に位置させるガイドとして機能することとなるから、各五徳(1a)(1b)の位置決めが一層容易となる。
また、ガスコンロは三口のものに限定されるものではなく、複数のバーナ用開口が形成された天板であれば、例えば、二口のガスコンロにも採用可能である。
【符号の説明】
【００２９】
(1a)(1b)・・・・五徳
(10)・・・・・・五徳枠
(11)(12)・・・・五徳爪
(14)・・・・・・隙間
(2) ・・・・・・バーナリング
(3) ・・・・・・天板
【図１】
2018179396.tif 000003
【図２】
2018179396.tif 000004
【図３】
2018179396.tif 000005